(57)【要約】      （修正有）【課題】結束対象の結束作業中に巻回した結束紐が弛んでしまうことを抑制し、容易に結束対象を結束することができる結束補助具を提供する。【解決手段】結束紐を用いた結束対象の結束を補助する結束補助具であって、基板１と、基板上に配置され前記結束紐を押える押え板２と、基板と押え板の間に設けられ結束紐が巻回される係止頭部３ｂを有する線材と、を備え、線材は、２つ以上設けられていることを特徴とする。【選択図】図１
0003206425.tif 000002
【実用新案登録請求の範囲】
【請求項１】
結束紐を用いた結束対象の結束を補助する結束補助具であって、
基板と、
この基板上に配置され前記結束紐を押える押え板と、
前記基板と前記押え板の間に設けられ前記結束紐が巻回される線材と、を備え、
前記線材は、２つ以上設けられていることを特徴とする、結束補助具。
【請求項２】
隣り合う前記線材の間隔は、前記線材の長さよりも長く設定されていることを特徴とする、請求項１に記載の結束補助具。
【請求項３】
前記押え板は、前記基板よりも小径に形成されていることを特徴とする、請求項１または請求項２に記載の結束補助具。
【請求項４】
前記基板の裏面には、前記結束対象に接着するための接着手段が設けられていることを特徴とする、請求項１〜３の何れかに記載の結束補助具。
【請求項５】
前記押え板には、前記結束紐を固定する切れ込みが設けられていることを特徴とする、請求項１〜４の何れかに記載の結束補助具。
【請求項６】
前記基板及び前記押え板は、段ボール板であることを特徴とする、請求項１〜５の何れかに記載の結束補助具。
【請求項７】
前記線材は、タグピンであることを特徴とする、請求項１〜６の何れかに記載の結束補助具。
【考案の詳細な説明】
【技術分野】
【０００１】
本考案は、段ボールや新聞紙等の結束対象を結束する際に、結束の補助を行う結束補助具に関するものである。
【背景技術】
【０００２】
一般に、段ボールや新聞紙，雑誌等を運搬する際には、ナイロンやポリプロピレン製の結束紐で十字形に掛け回して結束し、運搬されている。しかしながら、このように結束紐で十字形に縛る作業は面倒であることに加え、途中でばらけることが無いよう、結束紐が緊張を保った状態で縛る必要があった。そのため、体が小さな子供や、力の弱い女性，老人にとっては大変な作業であり、容易に結束作業を行うことができなかった。
【０００３】
従来、このような問題を解決するため、結束紐を容易に結束することができる結束補助具が種々提案されている（例えば、特許文献１）。
特許文献１には、段ボール等に当接されるベースプレートの上面に突起を形成した、結束作業の補助を行う結束補助具の技術が記載されている。このベースプレート上の突起に結束紐を巻き付けることによって、簡単な操作で、結束対象を緊張状態で結束できることが記載されている。
【先行技術文献】
【特許文献】
【０００４】
【特許文献１】特許第５１４２７９０号公報
【考案の概要】
【考案が解決しようとする課題】
【０００５】
しかしながら、特許文献１に係る結束補助具は、結束作業中に突起に巻きつけた結束紐が弛んでしまわないよう、常に結束紐を引っ張りながら作業する必要がある。すなわち、結束作業中において、突起に巻回された結束紐は何ら固定されていないため、結束作業中に結束紐の張力を弱めると、たちまち緊張状態が解けてしまうことが想定される。
そのため、結束作業開始から結束作業終了まで、結束紐を常に緊張状態にしておく必要があり、力の弱い女性や子供、老人にとっては大変な作業となる。
【０００６】
本考案は、かかる実情に鑑み、結束対象の結束作業中に巻回した結束紐が弛んでしまうことを抑制し、容易に結束対象を結束することができる結束補助具を提供することを課題とする。
【課題を解決するための手段】
【０００７】
上記課題を解決するため、本考案に係る結束補助具は、結束紐を用いた結束対象の結束を補助する結束補助具であって、基板と、この基板上に配置され前記結束紐を押える押え板と、前記基板と前記押え板の間に設けられ前記結束紐が巻回される線材と、を備え、前記線材は、２つ以上設けられていることを特徴とする。
【０００８】
このように、基板と押え板の間に設けられた２つ以上の線材に結束紐を巻回することで、線材が内側に向かって引っ張られ、押え板が基板方向に引きよせられる。そのため、結束紐が押え板によって押えられることにより、巻回した結束紐が弛んでしまうことを抑制することができる。
【０００９】
本考案に係る結束補助具は、隣り合う前記線材の間隔は、前記線材の長さよりも長く設定されていることを特徴とする。
このように、隣り合う線材の間隔を、線材の長さより長く設定することにより、押え板を基板に密着させることができ、より効果的に結束紐を固定することができる。
【００１０】
本考案に係る結束補助具は、前記押え板は、前記基板よりも小径に形成されていることを特徴とする。
このように、押え板が基板より小径に形成されていることにより、結束紐の巻回位置である基板と押え板の境界を容易に把握することができる。
【００１１】
本考案に係る結束補助具は、前記基板の裏面には、前記結束対象に接着するための接着手段が設けられていることを特徴とする。
このように、基板の裏面に接着手段を設けることにより、結束補助具の位置決めを容易に行うことができる。
【００１２】
本考案に係る結束補助具は、前記押え板には、前記結束紐を固定する切れ込みが設けられていることを特徴とする。
このように、押え板に切れ込みを設けることにより、結束紐の終端を切れ込みに挟んで処理することができ、結束紐が終端から解けてしまうことを抑制することができる。
【００１３】
本考案に係る結束補助具は、前記基板及び前記押え板は、段ボール板であることを特徴とする。
このように、基板及び押され板を段ボール板で形成することにより、結束対象を廃棄する際やリサイクル回収に出す際等には、本考案に係る結束補助具を取り外すことなく、結束対象と一緒に処理することができる。
【００１４】
本考案に係る結束補助具は、前記線材は、タグピンであることを特徴とする。
このように、線材にタグピンを採用することにより、本考案に係る結束補助具を容易に製造することができる。
【考案の効果】
【００１５】
本考案は、結束対象の結束作業中に巻回した結束紐が弛んでしまうことを抑制し、容易に結束対象を結束することができる結束補助具を提供することができる。
【図面の簡単な説明】
【００１６】
【図１】本考案の一実施形態に係る結束補助具を示す斜視図である。
【図２】本考案の一実施形態に係る結束補助具の断面を示す縦断面図である。
【図３】本考案の一実施形態に係る結束補助具の使用方法を示す斜視図である。
【図４】本考案の一実施形態に係る結束補助具の使用方法を示す斜視図である。
【図５】本考案の一実施形態に係る結束補助具の使用方法を示す斜視図である。
【図６】本考案の一実施形態に係る結束補助具の使用方法を示す斜視図である。
【考案を実施するための形態】
【００１７】
以下、本考案を図面に示した好ましい一実施形態について、図１〜図６を用いて詳細に説明する。本考案の技術的範囲は、添付図面に示した実施形態に限定されるものではなく、実用新案登録請求の範囲に記載された範囲内において、適宜変更が可能である。
以下、実施形態の説明にあたっては、第一に、本考案の一実施形態に係る結束補助具Ａの構成について説明し、次いで、この結束補助具Ａの使用方法について説明する。
【００１８】
本実施形態に係る結束補助具Ａは、結束紐Ｓを用いた結束対象Ｔの結束を補助する結束補助具Ａであって、基板１と、この基板１上に配置され結束紐Ｓを押える押え板２と、基板１と押え板２の間に設けられ結束紐Ｓが巻回される線材３と、を備えている。
【００１９】
図１は、本実施形態に係る結束補助具Ａの外形を示しており、図１（ａ）は上斜め方向から観察した斜視図を示し、図１（ｂ）は下斜め方向から観察した斜視図を示している。
図２は、図１（ａ）のＦ２−Ｆ２線縦断面図を示しており、図２（ａ）は結束紐Ｓが巻回されていない状態を示し、図２（ｂ）は結束紐Ｓが巻回された状態を示している。
【００２０】
基板１は、表面１ａ及び裏面１ｂを有した板状に形成されており、例えば、直径１０ｃｍ程度の円盤状に形成されている。なお、図１においては、円盤状に形成した例を示したが、これに限定されず、四角や三角等、任意の形状を採用することができる。
【００２１】
押え板２は、基板１上に設けられており、基板１と同様に円盤状に限定されない。この押え板２は、基板１より小径に形成されており（例えば、直径５ｃｍ程度）、結束紐Ｓが固定される切れ込み２ａが形成されている。この切れ込み２ａは、押え板２の外縁部から中心部に向かって溝が形成されており、結束紐Ｓを切れ込み２ａに挟み易いよう、押え板２の外縁部付近にはテーパー２ｂが形成されている。
【００２２】
この基板１及び押え板２の材料としては、段ボールや厚紙，木材，合成樹脂等、ある程度強度を有した板状の材料を採用することができるが、結束対象と一緒に廃棄等することが可能な、段ボールや厚紙等を採用することが望ましい。
【００２３】
線材３は、図２に示すように、線材本体３ａと、この線材本体３ａの両端に設けられる係止頭部３ｂと、を有している。この線材３は、基板１及び押え板２を貫通し、基板１の裏面及び押え板２の表面に係止頭部３ｂが配置されているため、基板１と押え板２は線材３によって接続されている。このため、基板１と押え板２の離間幅である間隙Ｈの大きさは、線材本体３ａの長さに依存している。例えば、１〜３ｃｍ程度の線材本体３ａを有する線材３を採用して、間隙Ｈを１〜３ｃｍ程度の長さに設定する。
【００２４】
この線材３は、基板１と押え板２の間に２つ設けられており、この隣り合う線材３の間には、間隔Ｄが設けられている。この間隔Ｄは、線材本体３ａの長さよりも長く設定されている。また、図１乃至図６においては、線材３を２つ設けた例を示したが、２つ以上であれば良く、結束対象Ｔの重量が大きい等、線材本体３ａ箇所の強度が必要な場合には、３つ，４つと２つ以上の線材３を設けてもよい。
【００２５】
この線材３としては、結束紐Ｓが巻回されることで変形する柔軟性と、容易に裁断されない程度の強度を有していれば良く、例えば、チェーンや，針金，紐，線状の合成樹脂等を含む。望ましくは、一般に商品にタグ（値札）を取り付けるために用いられている樹脂製のタグピンが採用される。
【００２６】
本実施形態に係る結束補助具Ａは、図２（ｂ）に示すように、２つの線材３の周りに結束紐Ｓを巻回することで、線材本体３ａが互いに近づくように変形される。これに伴い、押え板２は基板１方向に引き寄せられ、間隙Ｈの幅が狭くなる。これにより結束紐Ｓは、基板１と押え板２によって挟まれ、固定されることとなる。この時、隣り合う線材３の間隔Ｄは、線材３の長さよりも長く設定されているため、結束紐Ｓが巻回された際に、線材３同士が接触することはない。
【００２７】
なお、図１又は図２においては、線材３として、タグピンのような係止頭部３ｂを有する線材３を示したが、これに限られず、線材本体３ａを接着剤等の接着手段により基板１及び押え板２に取付ける構成を採用することも当然に可能である。
【００２８】
また、基板１の裏面１ｂには、結束対象Ｔに基板１を接着するための接着手段４を設けても良い。この接着手段４としては、両面テープが好適に用いられるが、両面テープの代わりに接着剤等の接着手段を採用しても良い。
【００２９】
次に、本実施形態に係る結束補助具Ａの使用方法について、図３〜図６を用いて詳細に説明する。この図３〜図６は、作業者の手Ｈによって、結束対象Ｔを結束紐Ｓで結束する様子を順番に示している。
【００３０】
まず、図３（ａ），（ｂ）に示すように、接着手段４を用いて結束対象Ｔの適当な箇所に結束補助具Ａを貼り付ける。そして、図３（ｃ），（ｄ）に示すように、結束対象Ｔの下に結束紐Ｓを通して、結束紐Ｓの一端側を結束補助具Ａ付近に配置する。
【００３１】
次に、図４（ａ），（ｂ）に示すように、結束紐Ｓの一端側を線材本体３ａに巻き付けて固定する。そして、図４（ｃ），（ｄ）に示すように、結束対象Ｔを一周するように掛け回し、緊張状態を保持しながら、一端側と同様に線材本体３ａに巻き付けて固定する。ここで、必要があれば、結束対象Ｔを上方から押し付けながら結束紐Ｓを引っ張り、結束紐Ｓの緊張具合を高めても良い。結束紐Ｓを線材本体３ａに巻き付けた後であれば、結束紐Ｓは基板１と押え板２に挟まれて固定されているため、手を放しても結束紐Ｓが解けてしまうことはない。
【００３２】
次に、図５（ａ），（ｂ）に示すように、結束紐Ｓの方向を９０度転換させ、結束対象Ｔの側面及び底面に沿わせて結束紐Ｓを再度掛け回す。そして、図５（ｃ），（ｄ）に示すように、結束紐Ｓを結束対象Ｔの表面側に引きだして、結束対象Ｔ上に十字形が形成されるように結束紐Ｓを配置する。
【００３３】
最後に、図６（ａ），（ｂ），（ｃ）に示すように、結束紐Ｓを結束補助具Ａの線材本体３ａに巻き付け、巻き付け終わった結束紐Ｓを押え板２の切れ込み２ａに挟み込んで、切断する。以上のようにして、本実施形態にかかる結束補助具Ａを用いて、結束対象Ｔを簡単に結束することができる。
【００３４】
本考案によれば、基板１と押え板２の間に設けられた２つ以上の線材３に、結束紐Ｓを巻回することで、巻回した結束紐Ｓが弛むことを抑制することができる。すなわち、結束紐Ｓが線材本体３ａに巻回されることにより、線材３同士が互いに引き合うように変形させられ、押え板２が基板１方向に向かって移動する。これにより、結束紐Ｓが基板１と押え板２に挟み込まれるようにして固定され、結束作業中に結束紐Ｓが弛んでしまうことを抑制することができる。
【００３５】
また、本考案によれば、結束作業中に結束補助具Ａに巻回した結束紐Ｓ弛まないよう構成されているため、結束紐Ｓを引っ張りながら作業する必要がなく、容易に結束対象Ｔを結束することができる。
【００３６】
また、本考案に係る結束補助具Ａは、線材３にタグピンを採用することにより、容易に製造することができる。すなわち、大きさの異なる２枚の段ボール板に対し、タグガンを用いて２か所以上にタグピンを配置するだけで、簡単に製造することができる。
【符号の説明】
【００３７】
Ａ  結束補助具
１  基板
２  押え板
３  線材
４  接着手段
Ｓ  結束紐
Ｔ  結束対象
Ｈ  作業者の手
【図１】
0003206425.tif 000003
【図２】
0003206425.tif 000004
【図３】
0003206425.tif 000005
【図４】
0003206425.tif 000006
【図５】
0003206425.tif 000007
【図６】
0003206425.tif 000008